(57)【要約】【課題】タイルカーペットを用い、新しい用途を広げることができるカーペットセットを提供する。【解決手段】カーペットセット１０は、矩形状のタイルカーペット１１を４枚以上並べて用いるものであり、２種以上の異なる模様のタイルカーペット１１を有している。各タイルカーペット１１の模様をつなげて並べることにより全体で一つの絵柄を形成することができ、かつ、少なくとも一部のタイルカーペット１１の配置又は方向を変更することにより各タイルカーペット１１の模様がつながった他の絵柄を形成することができる。【選択図】図１
0003218329.tif 000002
【実用新案登録請求の範囲】
【請求項１】
矩形状のタイルカーペットを４枚以上並べて用いるカーペットセットであって、
２種以上の異なる模様のタイルカーペットを有し、並べた時に隣接する各タイルカーペットの模様がつながって全体で一つの絵柄を形成し、かつ、少なくとも一部のタイルカーペットの配置又は方向を変更しても隣接する各タイルカーペットの模様がつながって全体で他の絵柄を形成可能である
ことを特徴とするカーペットセット。
【請求項２】
全体で形成される絵柄は、道路柄、線路柄、水路柄、洞窟柄、又は、迷路柄であることを特徴とする請求項１記載のカーペットセット。
【考案の詳細な説明】
【技術分野】
【０００１】
本考案は、矩形状のタイルカーペットを並べて用いるカーペットセットに関する。
【背景技術】
【０００２】
カーペットは、古くから使用されており、様々なものがある。中でも、タイルカーペットは、持ち運び及び設置が容易で、かつ、修理及び交換も容易であることから、広く使用されている（例えば、特許文献１参照）。しかし、従来のカーペットは敷物として用いられるのみであった。例えば、タイルカーペットの設置及び交換が容易という特性を生かした他の用い方ができれば、用途が広がり好ましい。
【先行技術文献】
【特許文献】
【０００３】
【特許文献１】特開昭５９−１３５０２３号公報
【考案の概要】
【考案が解決しようとする課題】
【０００４】
本考案は、このような問題に基づきなされたものであり、タイルカーペットを用い、新しい用途を広げることができるカーペットセットを提供することを目的とする。
【課題を解決するための手段】
【０００５】
本考案のカーペットセットは、矩形状のタイルカーペットを４枚以上並べて用いるものであって、２種以上の異なる模様のタイルカーペットを有し、並べた時に隣接する各タイルカーペットの模様がつながって全体で一つの絵柄を形成し、かつ、少なくとも一部のタイルカーペットの配置又は方向を変更しても隣接する各タイルカーペットの模様がつながって全体で他の絵柄を形成可能なものである。
【考案の効果】
【０００６】
本考案のカーペットセットによれば、少なくとも一部のタイルカーペットの配置又は方向を変更しても隣接する各タイルカーペットの模様がつながって全体で他の絵柄を形成可能としたので、パズルのように、各タイルカーペットの配置や方向を変えることにより、全体の絵柄を変えて遊ぶことができる。よって、単なる敷物ではなく、玩具としての機能を持たせることができ、例えば、知育玩具として子供の発想力を高めたり、老人ホーム等において頭の体操に用いることができる。
【０００７】
また、全体で形成される絵柄を道路柄、線路柄、又は、水路柄とすれば、車やオートバイの玩具、列車の玩具、船の玩具等を動かして遊ぶ際のコースとして使用することができる。更に、全体で形成される絵柄を洞窟柄、又は、迷路柄とすれば、洞窟探検ごっこ、迷路遊びに使用することができる。
【図面の簡単な説明】
【０００８】
【図１】本考案の一実施の形態に係るカーペットセットの一構成例を表す図である。
【図２】本考案の一実施の形態に係るカーペットセットの他の構成例を表す図である。
【図３】本考案の一実施の形態に係るカーペットセットの更に他の構成例を表す図である。
【図４】本考案の一実施の形態に係るカーペットセットの更に他の構成例を表す図である。
【図５】図４に示したカーペットセットを用いた他のレイアウト例を表す図である。
【図６】本考案の他の実施の形態に係るカーペットセットの一構成例を表す図である。
【考案を実施するための形態】
【０００９】
以下、本考案の実施の形態について、図面を参照して詳細に説明する。
【００１０】
図１〜４は、本考案の一実施の形態に係るカーペットセット１０の一構成例を表すものである。このカーペットセット１０は、矩形状のタイルカーペット１１を４枚以上並べて用いるものである。また、このカーペットセット１０は、２種以上の異なる模様のタイルカーペット１１を有しており、並べた時に隣接する各タイルカーペット１１の模様がつながって全体で一つの絵柄を形成し、かつ、少なくとも一部のタイルカーペット１１の配置又は方向を変更しても隣接する各タイルカーペット１１の模様がつながって全体で一つの絵柄とは異なる他の絵柄を形成することができるように構成されている。すなわち、各タイルカーペット１１の配置や方向を任意に選択することにより、各タイルカーペット１１の模様がつながった複数の異なる絵柄を形成することができるようになっている。
【００１１】
よって、タイルカーペット１１の枚数が多くなるほど、また、タイルカーペット１１の模様の種類が多くなるほど、形成できる絵柄の種類が多くなるので好ましい。タイルカーペット１１の枚数は、例えば、６枚以上、更には、９枚以上、更には、１２枚以上であればより好ましい。また、タイルカーペット１１の模様の種類は、例えば、４種以上、更には、５種以上、更には、６種以上、更には、７種以上、更には、８種以上であればより好ましい。
【００１２】
例えば、図１〜４に示したカーペットセット１０は、各タイルカーペット１１に道路に関する模様、具体的にはサーキットコースに関する模様を描いたものである。図１に示したカーペットセット１０は、９枚のタイルカーペット１１を並べた例であり、カーブ道路の模様、チェッカーの模様、トンネルの模様、池の模様の合計４種類の異なる模様が描かれたタイルカーペット１１を有している。図２に示したカーペットセット１０は、１２枚のタイルカーペット１１を並べた例であり、カーブ道路の模様、チェッカーの模様、トンネルの模様、池の模様に加えて、直線道路の模様、駐車場の模様の合計６種類の異なる模様が描かれたタイルカーペット１１を有している。
【００１３】
図３に示したカーペットセット１０は、１６枚のタイルカーペット１１を並べた例であり、カーブ道路の模様、チェッカーの模様、トンネルの模様、池の模様、直線道路の模様、駐車場の模様に加えて、右分岐路の模様、左分岐路の模様、Ｙ字路の模様の合計９種類の異なる模様が描かれたタイルカーペット１１を有している。図４に示したカーペットセット１０は、２０枚のタイルカーペット１１を並べた例であり、カーブ道路の模様、チェッカーの模様、トンネルの模様、池の模様、直線道路の模様、駐車場の模様、右分岐路の模様、左分岐路の模様、Ｙ字路の模様に加えて、Ｔ字路の模様、十字路の模様、直線両分岐路の模様の合計１２種類の異なる模様が描かれたタイルカーペット１１を有している。
【００１４】
これらのカーペットセット１０では、各タイルカーペット１１の模様をつなげて並べることにより、道路（ルート）を表す道路柄を形成することができるようになっている。図１〜４に示したレイアウトは一例であり、配置又は方向を変更することにより、異なる複数の絵柄を形成することができる。図５は、図４に示したカーペットセット１０を用いた他のレイアウト例を表すものである。また、図１〜４では９枚以上のタイルカーペット１１を用いた例を示したが、４枚以上あれば、配置又は方向を変更することにより異なる絵柄を形成して楽しむことができる。
【００１５】
このカーペットセット１０では、例えば、各タイルカーペット１１を並べた時に道路の模様が互いにつながるように、各タイルカーペット１１の縁（すなわち各辺）における道路の幅及び位置が同一となるように構成されている。なお、タイルカーペット１１は、通常のカーペット又は絨毯とよばれているものであればどのようなものでもよい。形状は正方形が好ましい。方向を変更（例えば、９０度回転又は１８０度回転）させても同じように並べることができるからである。大きさは、特に限定されないが、１０ｃｍ×１０ｃｍ〜１００ｃｍ×１００ｃｍ程度が好ましく、例えば、３０ｃｍ×３０ｃｍ〜７０ｃｍ×７０ｃｍ程度がより好ましい。
【００１６】
このカーペットセット１０では、配置や方向を変えて並べるので、裏面は接着せずに、床（フローリングやコンクリート面等）に載置して用いることが好ましい。各タイルカーペット１１の裏面には、滑り止め加工がされていることが好ましい。また、タイルカーペット１１の表面の模様は、プリントにより形成することができるが、他の方法により形成されてもよい。なお、このカーペットセット１０は、家庭でも、施設でも用いることができる。
【００１７】
このように本実施の形態によれば、少なくとも一部のタイルカーペット１１の配置又は方向を変更しても隣接する各タイルカーペット１１の模様がつながって全体で他の絵柄を形成可能としたので、パズルのように、各タイルカーペット１１の配置や方向を変えることにより、全体の絵柄を変えて遊ぶことができる。よって、単なる敷物ではなく、玩具としての機能を持たせることができ、例えば、知育玩具として子供の発想力を高めたり、老人ホーム等において頭の体操に用いることができる。
【００１８】
また、全体で形成される絵柄を道路柄とすれば、ラジコンカーやミニカー等の車の玩具を動かして遊ぶ際のコースとして使用することができる。
【００１９】
以上、実施の形態を挙げて本考案を説明したが、本考案は上記実施の形態に限定されるものではなく、種々変形可能である。例えば、上記実施の形態では、全体で形成される絵柄としてサーキットコースの道路柄を挙げて具体的に説明したが、他の絵柄でもよい。他の絵柄としては、例えば、街中等の都市の道路柄、又は、オフロードコースの道路柄等の他の道路柄や、線路をつなげた線路柄、水路をつなげた水路柄、洞窟の地形、例えば、洞穴をつなげた洞窟柄、又は、迷路をつなげた迷路柄等の他の絵柄が好ましく挙げられる。図６に線路柄の一構成例を示す。図６（Ａ）は９枚、６種類のタイルカーペット１１を有する例であり、図６（Ｂ）は２０枚、１４種類のタイルカーペット１１を有する例である
全体で形成される絵柄を線路柄、又は、水路柄とすれば、列車の玩具、船の玩具等を動かして遊ぶ際のコースとして使用することができ、全体で形成される絵柄を洞窟柄、又は、迷路柄とすれば、洞窟探検ごっこ、又は、迷路遊びに使用することができる。
【００２０】
また、上記実施の形態では、各構成要素について具体的に説明したが、全ての構成要素を備えていなくてもよく、また、他の構成要素を備えていてもよい。
【符号の説明】
【００２１】
１０…カーペットセット、１１…タイルカーペット
【図１】
0003218329.tif 000003
【図２】
0003218329.tif 000004
【図３】
0003218329.tif 000005
【図４】
0003218329.tif 000006
【図５】
0003218329.tif 000007
【図６】
0003218329.tif 000008